(57)【特許請求の範囲】
【請求項１】
複数の遊技機により構成され、相互に隣接する一対の島から夫々清浄な空気を互いに対向して排出させることにより、上記島の間の空間を覆うエアーカーテンを形成し、上記エアーカーテンにより外部の空間と隔離することによりタバコの煙が流入しないようにすることを特徴とする遊技場の非喫煙者保護システム。
【請求項２】
上記エアーカーテンは、上記夫々の島の長さ方向両端部における高さ方向及び上記夫々の島の上端部に形成された空気排出部から外方へ排出され、互いに衝接して上記島の間の空間の外方へ流出する空気流により形成されることを特徴とする請求項１記載の遊技場の非喫煙者保護システム。
【請求項３】
上記島の長さ方向両端部及び上記島の高さ方向上端部には、他の島方向へ向かって、互いに衝接して上記空間外方へ流出しうる大きさの流速を有する空気流を排出しうる空気排出部が設けられていることを特徴とする請求項１記載の遊技場の非喫煙者保護システム。
【請求項４】
上記空気排出部は、島側面部の高さ方向において一対の島側面部の間に形成される一般面及び、島上端部において一対の島上面部の間に形成される一般面に対して、所定角度外方へ向けて排出しうるように構成されていることを特徴とする請求項３記載の非喫煙者保護システム。
【請求項５】
上記排出部は、駆動部により駆動されるファンと、上記ファンを内装するハウジングと、上記ハウジングの外部に設けられ、上記一般面に対して所定角度を有して外方へ向けて配設されたフィンとを有することを特徴とする請求項４記載の非喫煙者保護システム。
【請求項６】
上記ファンは、上記ハウジング内に複数機配設され、空気の排出角度を上方へ向かって適宜調整可能に形成されていることを特徴とする請求項５記載の非喫煙者保護システム。
【請求項７】
上記フィンは、上記一般面に対して１５度の角度に形成されていることを特徴とする請求項５記載の非喫煙者保護システム。
【請求項８】
上記空気排出部には、遊技者の接近を感知した場合には上記ファンの作動を一時停止すると共に上記遊技者が離間した場合にはファンの作動を開始するセンサーが装着されていることを特徴とする請求項４及び５記載の非喫煙者保護システム。  
【発明の詳細な説明】
【技術分野】
【０００１】
本発明は、非喫煙者保護システムに係り、特に、多数の遊技機が設置されている遊技場において使用される非喫煙者の保護システムに関する。
【０００２】
一般に、遊技場においては、遊技者が喫煙者である場合にはタバコを吸いながら遊技を行う場合が多く、非喫煙者にとっては喫煙者の吐き出すタバコの煙や副煙流が障害となって遊技に集中することができない場合もあり、非喫煙者からのタバコの煙の処理や対策に関する要請も多く、何らかの対策が要請されていた。
【発明の開示】
【発明が解決しようとする課題】
【０００３】
このような観点から、従来、特許文献に開示されている空気清浄化システムが提案されていた。
【０００４】
即ち、このような空気清浄化システムは、各島の上端部に空気清浄機を設け、空気清浄機によりタバコの煙を直接に吸込んで浄化して島上方へ噴出すと共に、互いに隣接する島に装着された空気清浄機から空気を水平方向やや下方へ空気を排出させ、相互に当接して下降する空気流を形成し、充分に吸い込みきれなかったタバコの煙を上記空気流により空気清浄機へ回送し、空気清浄機により清浄化するように構成されている。
【０００５】
このような従来の空気清浄化システムにあっては、互いに当接した空気流はタバコの煙を巻き込みつつ、遊技者の背中側から下方へ流下し、遊技場の床面に衝接した後反射して、遊技者の足元から遊技者の前面側から遊技機の前面部に沿って上方へ向かい、空気清浄機に吸収されるように構成されているものである。
【０００６】
従って、このような従来の非喫煙者保護システムにあっては、タバコの煙は喫煙者から排出された後、広範囲に拡散することから、直接に空気清浄機に吸収されなかったタバコの煙は、上記空気流と共に喫煙者の上方から、背中側を介して下降し、床面にぶつかり、床面に反射して遊技機の前面に沿って上昇して空気清浄機に吸入されるものである。
【０００７】
その結果、タバコの煙は、所定の長い距離を空気流により搬送されると共に床面に反射して流れの方向を変えて搬送されるものであることから、搬送される過程で外部に流出してしまう場合も多く、喫煙者が排出したタバコの煙が確実に清浄化されることは不可能であった。その結果、非非喫煙者である遊技者に対して副煙流が流出し、遊技の妨げとなる場合もあった。
【０００８】
そこで、本願発明の課題は、遊技場に多数配置された島において、非喫煙者が遊技する島を予め決めておき、当該非喫煙者が遊技する島全体をエアーカーテンを形成して喫煙者が遊技する島とは隔離し、タバコの煙の侵入を防止し、以って、非喫煙者の快適な遊技環境を形成する点にある。
【０００９】
【特許文献１】実用新案登録第３０３７４４５号
【課題を解決するための手段】
【００１０】
このような課題解決のため本願発明にあっては、請求項１記載の発明にあっては、複数の遊技機により構成され、相互に隣接する一対の島から夫々清浄な空気を互いに対向して排出させることにより、上記島の間の空間を覆うエアーカーテンを形成し、上記エアーカーテンにより外部の空間と隔離することによりタバコの煙が流入しないようにすることを特徴とする。
【００１１】
従って、請求項１記載の発明にあっては、上記相互に隣接する一対の島の間の空間は、上記エアーカーテンにより覆われることにより外部の空間とは隔離されることから遊技場内で喫煙がされた場合であっても、副煙流は上記島の空間内には流入しない。
【００１２】
請求項２記載の発明にあっては、上記エアーカーテンは、上記夫々の島の長さ方向両端部における高さ方向及び上端部に形成された空気排出部から外方へ排出され、互いに衝接して上記空間外方へ流出する空気流により形成されることを特徴とする。
【００１３】
従って、請求項２記載の発明にあっては、上記夫々の島に配設された空気排出口から排出された空気は、上記空間外方へ流出する空気流となることから、上記夫々の島以外において発生した副煙流は流入することはない。
請求項３記載の発明にあっては、上記島の長さ方向両端部及び上記島の高さ方向上端部には、他の島方向へ向かって、互いに衝接して上記空間外方へ流出しうる大きさの流速を有する空気流を排出しうる空気排出部が設けられていることを特徴とする。
【００１４】
従って、請求項３記載の発明にあっては、上記島の高さ方向上端部及び長さ方向両端部の空気排出部により、島の高さ方向及び長さ方向に沿って全体略直方体形状であって、外方の空間へ常時所定圧力の空気が流出するエアーカーテンが形成される。
【００１５】
請求項４記載の発明にあっては、上記空気排出部は、島側面部の高さ方向において一対の島側面部の間に形成される一般面及び、島上端部において一対の島上面部の間に形成される一般面に対して、所定角度外方へ向けて排出しうるように構成されていることを特徴とする。
従って、請求項４記載の発明にあっては、一対の島に夫々設けられた空気排出部から排出された空気は互いに衝接した後、上記一対の島の間の空間の外方へ流出する空気流となる。
【００１６】
請求項５記載の発明にあっては、上記排出部は、駆動部により駆動されるファンと、上記ファンを内装するハウジングと、上記ハウジングの外部に設けられ、上記一般面に対して所定角度を有して外方へ向けて配設されたフィンとを有することを特徴とする。
従って、請求項５記載の発明にあっては、上記フィンにより空気は一対の島の間の空間の外方へ流出する空気流が形成される。
【００１７】
請求項６記載の発明にあっては、上記ファンは、上記ハウジング内に複数機配設され、空気の排出角度を上方へ向かって適宜調整可能に形成されていることを特徴とする。
従って、請求項６記載の発明にあっては、側方に配置された空気排出部から排出される空気の上下方向における吹き出し角度を適宜調整することができる。
【００１８】
請求項７記載の発明にあっては、上記フィンは、上記一般面に対して１５度の角度に形成されていることを特徴とする。
【００１９】
請求項８記載の発明にあっては、上記空気排出部には、遊技者の接近を感知した場合には上記ファンの作動を一時停止すると共に上記遊技者が離間した場合にはファンの作動を開始するセンサーが装着されていることを特徴とする。
従って、請求項８記載の発明にあっては、本発明に係るエアーカーテンが形成されている島へ人が出入りするために、空気排出部の近傍に接近した場合には、センサーが接近を感知して一時、空気の噴出を停止し、所定時間経過後に再度、噴出を開始する。
【発明の効果】
【００２０】
請求項１記載の発明にあっては、対向する一対の島の間に形成される空間をエアーカーテンにより覆うように構成したことから、遊技場における非喫煙者の排出するタバコの煙の副煙流を排除して、非喫煙者がタバコの煙を吸うことなく快適に遊技できる状況を作り出すことができる。
【００２１】
請求項２〜７記載の発明にあっては、上記エアーカーテンは、上記夫々の島に配設された空気排出口から対向して排出されて互いに衝接し、上記空間外方へ流出する空気流により形成されることから、夫々の島以外において発生した副煙流の流入を確実に阻止することができる。
【００２２】
請求項８記載の発明にあっては、本発明に係るエアーカーテンにより覆われている島の空間へ遊技者等が出入りする場合には、人の接近を感知して、空気の排出が一時的に停止し、その後開始することから、所定の空気圧を持った空気流が人に当たることはなく、遊技者等の出入りに障害となる事態を有効に防止することができる。
【発明を実施するための最良の形態】
【００２３】
以下、本発明に係る好適な実施の形態を図面を参照しつつ詳細に説明する。
図１に示すように、本実施の形態に係る非喫煙者保護システム１０は、複数の遊技機１１により構成され、相互に隣接する一対の島１２，１３から夫々、空気を互いに対向して排出させることにより、上記島の間の空間１４を覆うエアーカーテン１５を形成し、上記エアーカーテン１５により外部の空間１６と隔離することにより上記互いに対向して配置された一対の島１２，１３以外の島において遊技している喫煙者である遊技者等の吸ったタバコの煙の副煙流が流れてきた場合であっても、上記エアーカーテン１５により遮られ、上記空間１４内には流入しないように構成されている。
【００２４】
本実施の形態においては、図２及び図３に示すように、上記エアーカーテン１５は、上記夫々の島１２，１３の長さ方向両端部における高さ方向及び上端部に形成された夫々の空気排出部１７a，１７ｂから外方へ排出され、互いに衝接して上記空間１４の外方へ流出する空気流１８により形成される。
【００２５】
図２に示すように、上記島１２，１３には、夫々、上記島１２，１３の長さ方向両端部及び上記島１２，１３の高さ方向上端部には、他の島方向へ向かって所定の流速を有する空気を排出しうる側方空気排出部１７ａが設けられている。
【００２６】
上記島１２，１３の長さ方向両端部には、高さ方向の全域に亘って、厚さ方向に沿って、島１２，１３の厚さ寸法よりも大きな幅寸法を有する取付板１９が固定されている。
【００２７】
そして、図４に示すように、この取付板１９には、取付板１９の幅方向の両端部高さ方向に沿って、夫々、空気排出部１７ａが設けられている。空気排出部１７ａは全体略柱状に形成され、基部３０と、駆動部により駆動されるファン２０と、上記ファン２０を内装するハウジング２１と、上記ハウジング２１の外部に設けられ、上記一般面に対して所定角度を有して外方へ向けて配設されたフィン２２とを有している。
【００２８】
上記ハウジング２１は、薄型直方体の基部３０と、上記基部３０の幅方向において、長さ方向全域に固定された、横断面円弧状のカバー部材２４を有するファン収納部２３とにより構成されている。
【００２９】
上記ファン収納部２３内にはシロッコファン２０が高さ方向に沿って複数機設けられていると共に、上記カバー部材２４には、上記シロッコファン２０の近傍には吸気口のルーバー２６が開設されている。
【００３０】
本実施の形態にあっては、５機のシロッコファン２０が設けられていると共に、図１に示すように、５箇所に吸気口のルーバー２６が開設されている。
上記シロッコファン２０は取付軸（図示せず）を回動中心として高さ方向において所定角度噴出し角度を調整しうるように取り付けられている。上記シロッコファンの空気排出口２８の空気排出角度は、１５度、３０度及び４５度に適宜角度調整しうるように取り付けられている。
【００３１】
また、図４に示すように、上記基部３０と、上記カバー部材２４との間には島１２，１３の厚さ方向に沿って空気を噴出しうる空気噴出口２９が設けられている。そして、上記開口部２９には上記カバー部材２４の幅方向に沿って、上記フィン２２が設けられている。
【００３２】
従って、図４に示すように、上記シロッコファン２０が作動した場合には、空気は上記吸気口のルーバー２６から入り（ＩＮ）、上記空気噴出口２９から空間１４に向かって排出される（ＯＵＴ）。
【００３３】
図２及び図４に示すように、上記フィン２２は、上記互いに対向する一対の島１２，１３の両端部に固定された上記取付板１９，１９の間に形成される一般面Ａに対して、１５度外方へ向けた取り付け角度θを有して配設されている。
一方、図３に示すように、島１２，１３の上端部にも同一の構成に係る上方空気排出部１７ｂが設けられている。上記空気排出部１７ｂは、上記島１２，１３の長さ方向全域に配設されており、上記同様に、空気噴出口２９には、島１２，１３、夫々の上端面により形成される一般面Ｂに対して１５度上方へ向く取り付け角度θを有してフィン２２が取り付けられている。
【００３４】
なお、本実施の形態にあっては、上記シロッコファン２０の送風力は、他の島のシロッコファン２０が作動しなかった場合には、対向する島１２，１３付近まで送風が届く程度の大きさの駆動力に設定されている。
【００３５】
また、図示されないが、上記側方空気排出部１７ａには、上記空間１４の内方に向かって作動する赤外線センサー等からなる対人センサーが装備されており、上記対人センサーにより上記シロッコファン２０の作動を制御し、例えば、人が上記島１２，１３の間の空間に出入りする場合には、人への空気の噴出を避けるために、シロッコファン２０の作動を一時停止し、その後、所定時間経過後、作動を再開するように構成されている。
【００３６】
以下、本実施の形態に係る非喫煙者保護システム１０の作用について説明する。
本実施の形態に係る非喫煙者保護システム１０が作動した場合には、図２に示すように、互いに対向する一対の島１２，及び島１３に夫々配設された一対の側方空気排出部１７ａ，１７ｂから、清浄な空気が所定の送風力により、互いに対向して排出され、一対の空気流Ｆ１及びＦ２を形成する。
【００３７】
上記のように互いに対向して排出された空気流Ｆ１及びＦ２は、上記島１２、１３の間の略中間部位において互いに衝接する。この場合、側方空気排出部１７aにおいては、フィン２２により外方へ１５度傾斜した状態で排出されていることから、一対の空気流Ｆ１，Ｆ２は互いにぶつかった後、合流して上記一般面Ａに対して略直角に外方へ流れる空気流Ｆ３となる。
【００３８】
一方、図３に示すように、上記上方空気排出部１７ｂ，１７ｂからも、空気が所定の送風力により、互いに対向して排出され、一対の空気流Ｆ３及びＦ４を形成する。上記のように互いに対向して排出された清浄な空気流Ｆ３，Ｆ４は、上記島１２，１３の間の略中間部位において互いに衝接する。
【００３９】
この場合、側方空気排出部１７aにおいては、フィン２２により上方へ１５度傾斜した状態で排出されていることから、一対の空気流Ｆ３，Ｆ４は互いにぶつかった後、合流して、上記一般面Ｂに対して略直角に上方へ流れる空気流Ｆ５となる。
【００４０】
その結果、島１２，１３の間の空間１４は、高さ方向における空気流Ｆ１，Ｆ２及び、島１２，１３上端部における空気流Ｆ３，Ｆ４により形成されるエーカーテン１５により完全に被覆されることなる。
【００４１】
上記空気排出部１７ａ，１７ｂを構成するシロッコファン２０が作動している間は永続的に空気が流出し続けるため、上記外方へ流れる空気流からなるエアーカーテン１５は継続的に形成され続ける。
その結果、上記島１２，１３以外の島等において喫煙者である遊技者が喫煙を行い、副煙流が発生した場合であっても、上記副煙流は、上記島１２，１３の両側方へ流出し続ける空気流Ｆ３及び、上方へ流出し続ける空気流Ｆ５により形成されたエアーカーテン１５によりガイドされて島１２，１３から離間する方向へ導かれることから、副煙流が当該島１２，１３の間の空間１４内に侵入することはない。
【００４２】
なお、本実施の形態にあっては、フィンの取り付け角度が１５度の場合を例に説明したが、上記角度に限定されない。
【産業上の利用可能性】
【００４３】
本発明は、遊技機パーラーにおける非喫煙者が遊技する島を形成するために広く適用することができる。
【図面の簡単な説明】
【００４４】
【図１】本発明に係る非喫煙者保護システムの一形態を示す斜視図である。
【図２】本発明に係る非喫煙者保護システムを構成する側方空気排出部を示す側面図である。
【図３】本発明に係る非喫煙者保護システムを構成する上方空気排出部を示す側面図である。
【図４】本発明に係る非喫煙者保護システムを構成する側方空気排出部を示す横断面図である。
【図５】本発明に係る非喫煙者保護システムを構成する側方空気排出部を示す縦断面図である。
【符号の説明】
【００４５】
１０  非喫煙者保護システム
１１  遊技機
１２  島
１３  島
１４  空間
１５  エアーカーテン
１６  空間
１７  空気排出部
１８  空気流
１９  取付版
２０  ファン（シロッコファン）
２１  ハウジング
２２  フィン
２３  ファン収納部
２４  カバー部材
２６  ルーバー
２７  取付軸
２８  空気排出口
２９  開口部
３０  基部
Ｆ１  空気流
Ｆ２  空気流
Ｆ３  空気流
Ｆ４  空気流
Ｆ５  空気流
Ｆ６  空気流
θ    取り付け角度
【図１】
0004852494.tif 000002
【図２】
0004852494.tif 000003
【図３】
0004852494.tif 000004
【図４】
0004852494.tif 000005
【図５】
0004852494.tif 000006